(57)【要約】  【課題】  サラウンドシステムにおいて定位モードからレベルモードに切替えるとき、定位モードであったときの出力レベルに調整する手間を省略することができる音声信号制御装置およびその方法を提供すること。  【解決手段】  サラウンドシステムを構成するスピーカに音声信号を出力する音声信号制御装置１０において、指定された出力レベルに基づいて音声を出力するレベルモードと音像の定位に応じて音声を出力する定位モードとを切替えるときの切替指示を受付ける切替指示受付部１３と、レベルモードに切替えるための切替指示を受付けたとき、定位を表す情報と出力レベルとを対応させた定位対応情報に基づいて前方および後方のスピーカに対応する出力レベルを特定する出力レベル特定部１４と、特定された出力レベルに基づいて、切替え後の出力レベルを算出する出力レベル算出部１５とを備えて構成する。【選択図】  図１
2006262127.tif 000002
【特許請求の範囲】
【請求項１】
音声を聴くときの位置に対して前方に２つ以上および後方に１つ以上配置されたスピーカに対応する音声信号を制御する音声信号制御装置において、
指定された出力レベルに基づいて音声を出力するレベルモードと音像の定位に応じて音声を出力する定位モードとを切替えるときの切替指示を受付ける切替指示受付部と、
前記切替指示受付部が前記定位モードから前記レベルモードに切替えるための切替指示を受付けたとき、前記定位を表す情報と前記出力レベルとを対応させた定位対応情報に基づいて前記前方および前記後方のスピーカに対応する出力レベルを特定する出力レベル特定部と、
前記出力レベル特定部によって特定された出力レベルに基づいて、切替え後の出力レベルをそれぞれ算出する出力レベル算出部とを備え、
前記出力レベル算出部によってそれぞれ算出された出力レベルに従ってそれぞれの前記スピーカに音声を出力させることを特徴とする音声信号制御装置。
【請求項２】
前記音声信号は、モノラルであることを特徴とする請求項１に記載の音声信号制御装置。
【請求項３】
前記音声信号は、ステレオであることを特徴とする請求項１に記載の音声信号制御装置。
【請求項４】
音声を聴くときの位置に対して前方に２つ以上および後方に１つ以上配置されたスピーカに対応する音声信号を制御するコンピュータにおける音声信号制御方法において、
前記コンピュータが、指定された出力レベルに基づいて音声を出力するレベルモードと音像の定位に応じて音声を出力する定位モードとを切替えるときの切替指示を受付ける切替指示受付ステップと、
前記コンピュータが、前記切替指示受付ステップで前記定位モードから前記レベルモードに切替えるための切替指示を受付けたとき、前記定位を表す情報と前記出力レベルとを対応させた定位対応情報に基づいて前記前方および前記後方のスピーカに対応する出力レベルを特定する出力レベル特定ステップと、
前記コンピュータが、前記出力レベル特定ステップで特定された出力レベルに基づいて、切替え後の出力レベルをそれぞれ算出する出力レベル算出ステップと、
前記コンピュータが、前記出力レベル算出ステップでそれぞれ算出された出力レベルに従ってそれぞれの前記スピーカに音声を出力させるステップとを備えたことを特徴とする音声信号制御方法。
【発明の詳細な説明】
【技術分野】
【０００１】
本発明は、音声を聴くときの位置の周囲に配置された複数のスピーカに対応する音声信号を制御する音声信号制御装置およびその方法に関する。
【背景技術】
【０００２】
従来の音声信号制御装置としては、Ｌチャンネルの音声信号とＲチャンネルの音声信号との差分信号を求める減算器と、差分信号の信号レベルを検出するレベル検出回路と、検出した信号レベルに基づいてＬチャンネル信号の増幅率を可変させる可変増幅器とを有し、入力される音声信号がステレオ信号あるいはモノラル信号の場合にも回路規模を増大することなく、入力音声信号の信号レベルに応じたサラウンドの音声を出力することができるものが知られている（例えば、特許文献１参照。）。
【０００３】
ところで、音声を聴く者に臨場感を与えるサラウンドシステムは、音声を聴くときの位置に対して前方および後方に複数のスピーカを配置したものであって、種々のサラウンドモードを有しており、サラウンドモードは、例えば、前方に左右２つのスピーカを単に配置した２チャンネルのモードや、左前方、正面、右前方、左後方、右後方に合わせて５個のスピーカを配置し、さらに重低音用に１個のスピーカを配置した５．１チャンネルのモードなどがある。このようなサラウンドシステムに対応した従来の音声信号制御装置としては、利用者の操作に応じて音像の定位を可変とし、音像の定位に応じてディジタル信号のレベルを制御するものが知られている（例えば、特許文献２参照。）。
【０００４】
また、従来の音声信号制御装置は、音像の定位に応じて音声を出力する定位モード（以下、ＰＡＮモードという。）と、出力レベルに基づいて音声を出力するレベルモード（以下、ＬＶＬモードという。）とを備え、それぞれのモードに応じた音声を出力するようになっている。
【０００５】
図１２は、従来の音声信号制御装置に係る定位および出力レベルを表す図である。サラウンドシステム１００は、５．１チャンネルであり、左前方のスピーカＬ、正面のスピーカＣ、右前方のスピーカＲ、左後方のスピーカＬＳ、右後方のスピーカＲＳ、および重低音用のスピーカＬＦＥを備えている。サラウンドシステム１００のＰＡＮモードの場合においては、例えば、図１２に示すように、定位１０１が中央から左に位置していたとき、各スピーカに対応する出力レベルの一例は、グラフ２００に示すように、スピーカＬおよびスピーカＬＳに対応する出力レベルが−６ｄＢ、その他のスピーカに対応する出力レベルが−∞ｄＢである。
【特許文献１】特開平７−１５８００号公報
【特許文献２】特開２００３−１３４６００号公報
【発明の開示】
【発明が解決しようとする課題】
【０００６】
しかしながら、従来の音声信号制御装置では、ＰＡＮモードからＬＶＬモードに切替えるとき、出力レベルが初期値にリセットさせるため、初期値が−∞ｄＢであれば図１２に示すグラフ２０１のようになり、ＰＡＮモードであったときの出力レベルに調整するための手間がかかるという問題があった。
【０００７】
本発明は、従来の問題を解決するためになされたもので、サラウンドシステムにおいて定位モードからレベルモードに切替えるとき、定位モードであったときの出力レベルに調整する手間を省略することができる音声信号制御装置およびその方法を提供することを目的とする。
【課題を解決するための手段】
【０００８】
本発明の音声信号制御装置は、音声を聴くときの位置に対して前方に２つ以上および後方に１つ以上配置されたスピーカに対応する音声信号を制御する音声信号制御装置において、指定された出力レベルに基づいて音声を出力するレベルモードと音像の定位に応じて音声を出力する定位モードとを切替えるときの切替指示を受付ける切替指示受付部と、前記切替指示受付部が前記定位モードから前記レベルモードに切替えるための切替指示を受付けたとき、前記定位を表す情報と前記出力レベルとを対応させた定位対応情報に基づいて前記前方および前記後方のスピーカに対応する出力レベルを特定する出力レベル特定部と、前記出力レベル特定部によって特定された出力レベルに基づいて、切替え後の出力レベルをそれぞれ算出する出力レベル算出部とを備え、前記出力レベル算出部によってそれぞれ算出された出力レベルに従ってそれぞれの前記スピーカに音声を出力させる構成を有している。
【０００９】
この構成により、定位対応情報に基づいて前方および後方のスピーカに対応する出力レベルを特定し、特定された出力レベルに基づいて切替え後の出力レベルをそれぞれ算出し、算出されたそれぞれの出力レベルに従ってそれぞれのスピーカに音声を出力させるため、サラウンドシステムにおいて定位モードからレベルモードに切替えるとき、定位モードであったときの出力レベルに調整する手間を省略することができる。
【００１０】
また、本発明の音声信号制御装置は、前記音声信号が、モノラルである構成を有している。
【００１１】
この構成により、モノラルの音声信号における定位モードであったときの出力レベルに調整する手間を省略することができる。
【００１２】
また、本発明の音声信号制御装置は、前記音声信号が、ステレオである構成を有している。
【００１３】
この構成により、ステレオの音声信号における定位モードであったときの出力レベルに調整する手間を省略することができる。
【００１４】
また、本発明の音声信号制御方法は、音声を聴くときの位置に対して前方に２つ以上および後方に１つ以上配置されたスピーカに対応する音声信号を制御するコンピュータにおける音声信号制御方法において、前記コンピュータが、指定された出力レベルに基づいて音声を出力するレベルモードと音像の定位に応じて音声を出力する定位モードとを切替えるときの切替指示を受付ける切替指示受付ステップと、前記コンピュータが、前記切替指示受付ステップで前記定位モードから前記レベルモードに切替えるための切替指示を受付けたとき、前記定位を表す情報と前記出力レベルとを対応させた定位対応情報に基づいて前記前方および前記後方のスピーカに対応する出力レベルを特定する出力レベル特定ステップと、前記コンピュータが、前記出力レベル特定ステップで特定された出力レベルに基づいて、切替え後の出力レベルをそれぞれ算出する出力レベル算出ステップと、前記コンピュータが、前記出力レベル算出ステップでそれぞれ算出された出力レベルに従ってそれぞれの前記スピーカに音声を出力させるステップとを備えたものである。
【００１５】
この方法により、定位対応情報に基づいて前方および後方のスピーカに対応する出力レベルを特定し、特定された出力レベルに基づいて切替え後の出力レベルをそれぞれ算出し、算出されたそれぞれの出力レベルに従ってそれぞれのスピーカに音声を出力させるため、サラウンドシステムにおいて定位モードからレベルモードに切替えるとき、定位モードであったときの出力レベルに調整する手間を省略することができる。
【発明の効果】
【００１６】
本発明は、サラウンドシステムにおいて定位モードからレベルモードに切替えるとき、定位モードであったときの出力レベルに調整する手間を省略することができる音声信号制御装置およびその方法を提供するものである。
【発明を実施するための最良の形態】
【００１７】
以下、本発明の実施の形態に係る音声信号制御装置について、図面を用いて説明する。
【００１８】
本発明の実施の形態に係る音声信号制御装置のブロック図を図１に示す。音声信号制御装置１０は、音声信号制御装置１０に対して指示を行う指示部１１と、種々のプログラムを実行するＣＰＵ１２と、プログラムやデータ等を記憶するメモリ１６と、音声信号を入力する信号入力部１７と、入力した音声信号を処理する信号処理部１８と、サラウンドシステムを構成するスピーカに音声を出力させる信号出力部１９とを備えて構成される。
【００１９】
なお、音声信号制御装置１０は、コンピュータによって構成されてもよい。また、サラウンドシステムは、音声を聴くときの位置に対して前方および後方に複数のスピーカを配置したものである。
【００２０】
指示部１１は、例えば、キーボードやマウス等によって構成される。メモリ１６は、ＲＡＭおよびＲＯＭ等によって構成される。信号入力部１７は、例えば、音声信号となるアナログ信号からデジタル信号に変換するＡ／Ｄ変換に関する機能を有する。信号処理部１８は、複数の音声信号を混合するものであり、いわゆるミキサーに関する機能を有する。
【００２１】
信号出力部１９は、例えば、デジタル信号からアナログ信号に変換するＤ／Ａ変換に関する機能を有する。また、信号出力部１９は、図１２に示した左前方のスピーカＬが接続される信号出力部Ｌ、正面のスピーカＣが接続される信号出力部Ｃ、右前方のスピーカＲが接続される信号出力部Ｒ、左後方のスピーカＬＳが接続される信号出力部ＬＳ、右後方のスピーカＲＳが接続される信号出力部ＲＳ、および重低音用のスピーカＬＦＥが接続される信号出力部ＬＦＥを備えている。
【００２２】
ＣＰＵ１２内に記載している切替指示受付部１３、出力レベル特定部１４、および出力レベル算出部１５は、プログラムのモジュール等である。なお、ＣＰＵ１２は、信号処理部１８および信号出力部１９に対して、出力レベルの調整や音質の調整などを指示するようになっている。
【００２３】
切替指示受付部１３は、指定された出力レベルに基づいて音声を出力するＬＶＬモードと音像の定位に応じて音声を出力するＰＡＮモードとを切替えるときの切替指示を受付けるようになっている。例えば、切替指示受付部１３は、指示部１１から受付けた切替指示に応じて、ＬＶＬモードとＰＡＮモードとのうち何れかに切替えるようになっている。
【００２４】
なお、ＰＡＮモードにおいては、各スピーカに対応する出力レベルの配分をＰＡＮの値によって定める。図２は、ＰＡＮの値と左右にあるスピーカに対応する出力レベルそれぞれとの関係の一例を表す図である。なお、本発明の実施の形態では、ＰＡＮの値が０〜３０までの値をとる。
【００２５】
例えば、ＰＡＮの値が０である場合、左にあるスピーカに対応する出力レベル（以下、レベルＬという）が０であり、右にあるスピーカに対応する出力レベル（以下、レベルＲという）が−∞である。ＰＡＮの値が１５である場合、レベルＬとレベルＲとが等しくなる。ＰＡＮの値が３０である場合、レベルＲが０であり、レベルＬが−∞である。
【００２６】
図３は、左前方のスピーカＬ、正面のスピーカＣ、右前方のスピーカＲ、左後方のスピーカＬＳ、右後方のスピーカＲＳ、および重低音用のスピーカＬＦＥを備えたときの５．１チャンネルのＰＡＮモードにおいて、各スピーカに対応する出力レベルの配分における定め方の一例を表す図である。
【００２７】
本発明の実施の形態では、左右のスピーカに対応する出力レベルの配分である左右ＰＡＮおよび前後のスピーカに対応する出力レベルの配分である前後ＰＡＮ、２つのＰＡＮを定めており、さらに、左右のスピーカと中央のスピーカとの出力レベルの比である左右中央比を定めている。
【００２８】
また、図４は、図３で説明したＰＡＮモードにおける各出力レベルの相互の関係を表す図である。なお、入力された音声信号は、モノラルである。
【００２９】
左右ＰＡＮにおいては、ＰＡＮの値が小さければ、信号出力部Ｌに対応する出力レベルが大きくなり、信号出力部Ｒに対応する出力レベルが小さくなる。また、ＰＡＮの値が大きければ、信号出力部Ｌに対応する出力レベルが小さくなり、信号出力部Ｒに対応する出力レベルが大きくなる。
【００３０】
左右中央比は、信号出力部Ｌ、Ｒに対応する出力レベルと信号出力部Ｃに対応する出力レベルとの比を表す。
【００３１】
前後ＰＡＮにおいては、ＰＡＮの値が小さければ、信号出力部Ｌ、信号出力部Ｃ、信号出力部Ｒに対応する出力レベルが大きくなり、信号出力部ＬＳ、信号出力部ＲＳに対応する出力レベルが小さくなる。また、ＰＡＮの値が大きければ、信号出力部Ｌ、信号出力部Ｃ、信号出力部Ｒに対応する出力レベルが小さくなり、信号出力部ＬＳ、信号出力部ＲＳに対応する出力レベルが大きくなる。
【００３２】
また、信号出力部ＬＦＥに対応する出力レベルは、前後ＰＡＮ、左右ＰＡＮ、および左右中央比と独立している。
【００３３】
図５は、５．１チャンネルのＬＶＬモードにおける各出力レベルの相互の関係を表す図である。なお、入力された音声信号は、モノラルである。ＬＶＬモードでは、指定された出力レベルに基づいて音声を出力するため、各信号出力部に対応する出力レベルは、それぞれ独立している。
【００３４】
出力レベル特定部１４は、切替指示受付部１３がＰＡＮモードからＬＶＬモードに切替えるための切替指示を受付けたとき、定位を表す情報と出力レベルとを対応させた定位対応情報に基づいて前方および後方のスピーカに対応する出力レベルを特定するようになっている。
【００３５】
図６は、定位を表す情報と出力レベルとを対応させた定位対応情報の一例を表す図である。図６では、定位を表す情報は、左右中央比、左右ＰＡＮの値、および前後ＰＡＮの値からなる。
【００３６】
図６に示した定位対応情報によれば、左右中央比、すなわち、左右のスピーカと中央のスピーカとの出力レベルの比が１０：０であり、左右ＰＡＮの値が０である場合、スピーカＬに対応する出力レベル（以下、レベルＬという。）が０ｄＢ、スピーカＲに対応する出力レベル（以下、レベルＲという。）が−∞ｄＢ、スピーカＣに対応する出力レベル（以下、レベルＣという。）が−∞ｄＢである。また、左右中央比が１０：０であり、前後ＰＡＮの値が０である場合、前方のスピーカに対応する出力レベル（以下、レベルＦという。）が０ｄＢ、後方のスピーカに対応する出力レベル（以下、レベルＳという。）が−∞ｄＢである。
【００３７】
出力レベル算出部１５は、出力レベル特定部１４によって特定された出力レベルに基づいて切替え後の出力レベルをそれぞれ算出し、信号出力部１９は、出力レベル算出部１５によってそれぞれ算出された出力レベルに従ってそれぞれのスピーカに音声を出力させるようになっている。
【００３８】
以上のように構成された音声信号制御装置について、その動作について図面を参照して説明する。図７は、ＰＡＮモードからＬＶＬモードに切替えるときのプログラムのフローチャートである。なお、このフローチャートは、モノラルの音声信号に対応している。
【００３９】
まず、切替指示受付部１３がＰＡＮモードからＬＶＬモードに切替えるための切替指示を受付けたとき、出力レベル特定部１４は、図６に示した定位対応情報に基づいて、設定されている定位を表す情報のうち左右中央比、左右ＰＡＮの値から、レベルＬ、レベルＲ、およびレベルＣを特定する（Ｓ１）。
【００４０】
次に、出力レベル特定部１４は、図６に示した定位対応情報に基づいて、設定されている定位を表す情報のうち左右中央比、左右ＰＡＮの値から、スピーカＬＳに対応する出力レベル（以下、レベルＬＳという。）およびスピーカＲＳに対応する出力レベル（以下、レベルＲＳという。）を特定する（Ｓ２）。なお、レベルＬ、レベルＲ、およびレベルＣの場合と異なり、スピーカＬＳおよびスピーカＲＳからなる後方のスピーカにおいては、後方に中央のスピーカが存在しないため、Ｓ２では、左右中央比を１０：０とする。
【００４１】
次に、出力レベル特定部１４は、図６に示した定位対応情報に基づいて、設定されている定位を表す情報のうち左右中央比、前後ＰＡＮの値から、レベルＦおよびレベルＳを特定する（Ｓ３）。なお、レベルＦおよびレベルＳにとっては、スピーカＣが関係しないため、Ｓ３では、左右中央比を１０：０とする。
【００４２】
ここで、出力レベル算出部１５は、レベルＬ、レベルＲ、レベルＣそれぞれにレベルＦを加えたものを、切替え後のレベルＬ、レベルＲ、レベルＣとし、レベルＬＳ、レベルＲＳそれぞれにレベルＳを加えたものを、切替え後のレベルＬＳ、レベルＲＳとする（Ｓ４）。なお、スピーカＬＦＥに対応する出力レベル（以下、レベルＬＦＥという。）は、切替え後のレベルＬＦＥと同じである。
【００４３】
信号出力部１９は、出力レベル特定部１４がそれぞれ算出した切替え後のレベルに従ってそれぞれのスピーカに音声を出力させる（Ｓ５）。すなわち、信号出力部Ｌは、切替え後のレベルＬに従って音声信号をスピーカＬに出力し、信号出力部Ｒは、切替え後のレベルＲに従って音声信号をスピーカＲに出力し、信号出力部Ｃは、切替え後のレベルＣに従って音声信号をスピーカＣに出力し、信号出力部ＬＳは、切替え後のレベルＬＳに従って音声信号をスピーカＬＳに出力し、信号出力部ＲＳは、切替え後のレベルＲＳに従って音声信号をスピーカＲＳに出力し、信号出力部ＬＦＥは、切替え後のレベルＬＦＥに従って音声信号をスピーカＬＦＥに出力する。
【００４４】
また、図８は、本発明の実施の形態に係る音声信号制御装置に係る定位および出力レベルを表す図である。音声信号制御装置１０が制御するサラウンドシステム１００は、５．１チャンネルである。サラウンドシステム１００のＰＡＮモードの場合においては、例えば、図８に示すように、定位１０１が中央から左に位置していたとき、各スピーカに対応する出力レベルは、グラフ２００のようにスピーカＬおよびスピーカＬＳに対応する出力レベルが−６ｄＢ、その他のスピーカに対応する出力レベルが−∞ｄＢである。
【００４５】
音声信号制御装置１０では、ＰＡＮモードからＬＶＬモードに切替えたときの各出力レベルの一例は、グラフ２０２に示すように、切替え後の定位１０２は、切替え前の定位１０１の位置と全く変わらない。
【００４６】
以上、モノラルの音声信号に対応した音声信号制御装置１０の動作について説明したが、ステレオの音声信号の場合についても説明する。
【００４７】
図９は、音声信号がステレオである場合、図３で説明したＰＡＮモードにおける各出力レベルの相互の関係を表す図である。また、図４で説明した内容と異なる点は、左右ＰＡＮが、信号出力部Ｌに対応する出力レベルと信号出力部Ｒに対応する出力レベルとのバランスを表す左右ＢＡＬに変更された点である。
【００４８】
なお、左右ＢＡＬの値と左右にあるスピーカに対応する出力レベルそれぞれとの関係は、図２で説明した左右ＰＡＮとほぼ同様のものである。また、ＬＶＬモードでは、指定された出力レベルに基づいて音声を出力するため、各信号出力部に対応する出力レベルは、図５と同様にそれぞれ独立している。
【００４９】
また、図１０は、定位を表す情報と出力レベルとを対応させた定位対応情報の一例を表す図である。図１０では、定位を表す情報は、左右中央比および左右ＢＡＬの値からなる。図６で説明した内容と異なる点は、左右ＰＡＮおよび前後ＰＡＮが、左右ＢＡＬに変更された点である。
【００５０】
図１１は、ステレオの音声信号に対応し、ＰＡＮモードからＬＶＬモードに切替えるときのプログラムのフローチャートである。なお、図７で説明した動作と同一のものについては、同一の符号を付している。
【００５１】
まず、出力レベル特定部１４は、図１０に示した定位対応情報に基づいて、設定されている定位を表す情報のうち左右中央比、左右ＢＡＬの値から、レベルＬ、レベルＲ、およびレベルＣを特定する（Ｓ１１）。
【００５２】
次に、出力レベル特定部１４は、図１０に示した定位対応情報に基づいて、設定されている定位を表す情報のうち左右中央比、左右ＢＡＬの値から、レベルＬＳおよびレベルＲＳを特定する（Ｓ１２）。なお、図７で説明したＳ２と同様に左右中央比を１０：０とする。
【００５３】
なお、図１１に示したＳ３からＳ５までの動作については、図７で説明したＳ３からＳ５と同様であるため、それぞれの説明を省略する。
【００５４】
以上、５．１チャンネルの場合の音声信号制御装置１０に動作ついて説明したが、左前方のスピーカＬ、正面のスピーカＣ、右前方のスピーカＲ、および後方のスピーカＳを備えたときの３−１チャンネルの場合においても、音声信号制御装置１０は、５．１チャンネルの動作とほぼ同様の動作で実現することができる。
【００５５】
３−１チャンネルの場合、Ｓ１またはＳ１１の動作を行うとき、出力レベル特定部１４は、レベルＬ、レベルＲ、およびレベルＣを特定する。Ｓ２またはＳ１２の動作は行わず、Ｓ３の動作を行うとき、出力レベル特定部１４は、レベルＦおよびレベルＳを特定する。
【００５６】
Ｓ４の動作を行うとき、出力レベル算出部１５は、レベルＬ、レベルＲ、レベルＣそれぞれにレベルＦを加えたものを、切替え後のレベルＬ、レベルＲ、レベルＣとし、後方のスピーカＳに対応する切替え後の出力レベルＳをレベルＳとすることにより、音声信号制御装置１０は、３−１チャンネルに対応することができる。
【００５７】
以上説明したように、本発明の実施の形態に係る音声信号制御装置は、定位対応情報に基づいて前方および後方のスピーカに対応する出力レベルを特定し、特定された出力レベルに基づいて切替え後の出力レベルをそれぞれ算出し、算出された出力レベルに従ってそれぞれのスピーカに音声を出力させるため、サラウンドシステムにおいてＰＡＮモードからＬＶＬモードに切替えるとき、ＰＡＮモードであったときの出力レベルに調整する手間を省略することができる。
【００５８】
なお、５．１チャンネルおよび３−１チャンネルの場合について説明したが、本発明の実施の形態に係る音声信号制御装置は、その他のサラウンドシステムにおいても対応可能である。
【産業上の利用可能性】
【００５９】
以上のように、本発明に係る音声信号制御装置およびその方法は、サラウンドシステムにおいて定位モードからレベルモードに切替えるとき、定位モードであったときの出力レベルに調整する手間を省略することができるという効果を有し、サラウンドシステムを実現する音声信号制御装置等として有用である。
【図面の簡単な説明】
【００６０】
【図１】本発明の実施の形態に係る音声信号制御装置のブロック図
【図２】ＰＡＮの値と左右にあるスピーカに対応する出力レベルそれぞれとの関係の一例を表す図
【図３】各スピーカに対応する出力レベルの配分における定め方の一例を表す図
【図４】図３で説明したＰＡＮモードにおける各出力レベルの相互の関係を表す図
【図５】５．１チャンネルのＬＶＬモードにおける各出力レベルの相互の関係を表す図
【図６】定位を表す情報と出力レベルとを対応させた定位対応情報の一例を表す図
【図７】ＰＡＮモードからＬＶＬモードに切替えるときのプログラムのフローチャート
【図８】本発明の実施の形態に係る音声信号制御装置に係る定位および出力レベルを表す図
【図９】音声信号がステレオである場合、図３で説明したＰＡＮモードにおける各出力レベルの相互の関係を表す図
【図１０】定位を表す情報と出力レベルとを対応させた定位対応情報の一例を表す図
【図１１】ステレオの音声信号に対応し、ＰＡＮモードからＬＶＬモードに切替えるときのプログラムのフローチャート
【図１２】従来の音声信号制御装置に係る定位および出力レベルを表す図
【符号の説明】
【００６１】
１０  音声信号制御装置
１１  指示部
１２  ＣＰＵ
１３  切替指示受付部
１４  出力レベル特定部
１５  出力レベル算出部
１６  メモリ
１７  信号入力部
１８  信号処理部
１９  信号出力部
１００  サラウンドシステム
１０１、１０２  定位
２００、２０１、２０２  グラフ
【図１】
2006262127.tif 000003
【図２】
2006262127.tif 000004
【図３】
2006262127.tif 000005
【図４】
2006262127.tif 000006
【図５】
2006262127.tif 000007
【図６】
2006262127.tif 000008
【図７】
2006262127.tif 000009
【図８】
2006262127.tif 000010
【図９】
2006262127.tif 000011
【図１０】
2006262127.tif 000012
【図１１】
2006262127.tif 000013
【図１２】
2006262127.tif 000014